(57)【要約】      （修正有）【課題】コピー防止効果に優れ、かつ、原本の視認性に優れたコピー防止シートを提供する。【解決手段】特定の情報が表示される表示部に貼り付けられて表示部のコピーを防止するコピー防止シート１０に関する。コピー防止シート１０は、表示部に貼り付けられた状態で表示部を目視可能な透光性を有し、表示部に貼り付けられる粘着剤層１４と金属薄膜層１３とフィルム１１とをこの順で重ねた構成である。フィルム１１の金属薄膜層１３側の面１１Ａ、または金属薄膜層１３の粘着剤層１４側の面１３Ａに、模様状をなすホログラム１２が設けられている。粘着剤層１４は、ホログラム１２の模様に対応して部分的に設けられている。【選択図】図２
0003153219.tif 000002
【実用新案登録請求の範囲】
【請求項１】
特定の情報が表示される表示部に貼り付けられて前記表示部のコピーを防止とするコピー防止シートであって、
前記表示部に貼り付けられた状態で前記表示部を目視可能な透光性を有するとともに、前記表示部に貼り付けられる粘着剤層と、金属を含む金属薄膜層と、フィルムとがこの順で重ねられ、
前記フィルムの前記金属薄膜層側の面、または前記金属薄膜層の前記粘着剤層側の面に、模様状をなすホログラムが設けられ、かつ、
前記粘着剤層は、前記ホログラムの模様に対応して部分的に設けられていることを特徴とするコピー防止シート。
【請求項２】
前記ホログラムは、前記フィルムの一方の面にエンボス加工を施すことにより形成され、このホログラムに金属を蒸着することにより前記金属薄膜層が積層されていることを特徴とする請求項１に記載のコピー防止シート。
【請求項３】
前記金属薄膜層は、酸化アルミを蒸着してなる透明な金属蒸着層であることを特徴とする請求項１または請求項２に記載のコピー防止シート。
【請求項４】
前記粘着剤層の、前記表示部に貼り付けられる側の面に剥離シートを設けたことを特徴とする請求項１ないし請求項３のいずれか一項に記載のコピー防止シート。
【考案の詳細な説明】
【技術分野】
【０００１】
本考案は、コピー防止シートに関する。
【背景技術】
【０００２】
印影や個人情報などの機密情報をコピー機により複写するのを防止するために、当該機密情報が表示される表示部に貼り付けられるコピー防止シールが提案されている（例えば特許文献１を参照）。特許文献１に記載のコピー防止シートは、フィルムに所定の画像を有するホログラム、金属薄膜層および接着層を順に重ねた構成のものであり、接着層は金属薄膜層の一方の面の全域に形成されている。
【０００３】
ホログラムが設けられているシールを情報が記載された書類に貼り付け、当該書類をコピー機により複写すると、複写物においては当該書類（原本）のホログラムの画像に対応する部分に白抜け状態が生じる。これにより、コピーしたものであることが判明するとともに、原本に記載された情報がそのまま再現されるのを困難なものとする。
【先行技術文献】
【特許文献】
【０００４】
【特許文献１】特開平６−２５９０１３号公報
【考案の概要】
【考案が解決しようとする課題】
【０００５】
しかしながら、特許文献１に記載のコピー防止シールを用いた場合、白抜け状態の部分が十分に生じず、ホログラムを設けたことによる十分なコピー防止効果が得られなかった。
【０００６】
コピー防止効果を高める方法として、特許文献１に記載のコピー防止シールと同様の構成のものにおいて、金属薄膜層の金属含有量を増やす方法を検討したが、この方法では、コピー防止シールが貼り付けられている書類（原本）の視認性が低下してしまうという問題があった。
【０００７】
また、ホログラムを、書類に貼り付けた際に最も外側に配される面に形成したものについて検討した。ホログラムを最も外側に形成したものでは、優れたコピー防止効果が得られるが、溶剤などで表面をふきとることによりホログラム層が容易に剥がされてしまうため、ホログラム層によるコピー防止効果が得られなくなってしまい、偽造が容易になってしまうという問題があった。
【０００８】
本考案は上記のような事情に基づいて完成されたものであって、コピー防止効果に優れ、かつ、原本の視認性に優れたコピー防止シートを提供することを目的とする。
【課題を解決するための手段】
【０００９】
上記課題を解決すべく、フィルムの一方の面に金属薄膜層を積層し、この金属薄膜層のフィルムとは反対側の面にホログラムを形成して、このホログラムの全面に粘着剤を塗布したものについて検討したが、白抜け効果が充分に得られなかった。この理由は以下のように考えられる。
ホログラムはホログラム形成面にエンボス加工などを施すことにより、凹凸状に形成される。上記の構成のものでは、ホログラムを構成する凹凸形状のところに、粘着剤が入り込むことにより光の屈折が起こり難くなり、ホログラム形成による白抜け効果が十分に得られなかったのではないかと考えられる。また、上記構成のものでは全面に接着層が形成されており、空気の層がないために光の屈折が起こり難いのも一因ではないかと考えられる。
【００１０】
そこで、粘着剤層を部分的に形成したものについて検討したところ、コピー防止効果に優れたものが得られるという知見が得られた。
【００１１】
すなわち、本考案は、特定の情報が表示される表示部に貼り付けられて前記表示部のコピーを防止するコピー防止シートであって、前記表示部に貼り付けられた状態で前記表示部を目視可能な透光性を有するとともに、前記表示部に貼り付けられる粘着剤層と、金属を含む金属薄膜層と、フィルムとがこの順で重ねられ、前記フィルムの前記金属薄膜層側の面、または前記金属薄膜層の前記粘着剤層側の面に、模様状をなすホログラムが設けられ、かつ、前記粘着剤層は、前記ホログラムの模様に対応して部分的に設けられているところに特徴を有する。
【００１２】
本考案のコピー防止シートを書類（原本）に貼り付けてコピー機により複写する。コピー機では情報を読みとる際に、コピーの対象となる用紙を光を照射して、反射した光の明るさを読みとって再現する。本考案のコピー防止シートにはホログラムが形成されているので、ホログラフィーの原理により、原本のホログラムの模様に対応する部分に白抜け状態のところが生じる。
【００１３】
本考案のコピー防止シートでは、粘着剤がホログラムの模様に対応して部分的に設けられているので、粘着剤のない空気の層が形成されている。また、ホログラムが形成されている面に粘着剤層が形成されている場合でも、粘着剤層はホログラムの模様に対応して部分的に設けられているので、ホログラムを構成する凹凸部分の全てに粘着剤が入り込むということはない。その結果、本考案によれば、ホログラムの模様に対応する部分に白抜け状態のところが十分に生じ、コピー防止効果に優れたコピー防止シートを提供することができる。
【００１４】
また、本考案のコピー防止シートは、表示部に貼り付けられた状態で表示部を目視可能な透光性を有しているので、原本の視認性にも優れる。
【００１５】
本考案は、以下の構成であってもよい。
前記ホログラムは、前記フィルムの一方の面にエンボス加工を施すことにより形成され、このホログラムに金属を蒸着することにより前記金属薄膜層が積層されていてもよい。
上述したように、ホログラムが形成されている面に粘着剤層が形成されている場合、ホログラムを構成する凹凸部分に粘着剤が入り込むことがあり、このような場合には光の屈折が起こり難くなってコピー防止効果が低下することが懸念される。そこで、上記のような構成とすると、ホログラムと粘着剤層との間には金属薄膜層が存在し、粘着剤がエンボス加工により形成された凸凹部分に直接入り込むことがないので上記のような問題が生じない。
【００１６】
前記金属薄膜層は、酸化アルミを蒸着してなる透明な金属蒸着層であってもよい。このような構成とすると、原本の視認性に優れるので好ましい
【００１７】
前記粘着剤層の、前記表示部に貼り付けられる側の面に剥離シートを設けてもよい。粘着剤層が剥き出しのものでは、ごみなどの付着などによる粘着性の低下が懸念されるが、このような構成とすると、ごみなどの付着を防止することができるので、粘着性の低下が起こり難い。
【考案の効果】
【００１８】
本考案によれば、コピー防止効果に優れ、かつ、原本の視認性に優れたコピー防止シートを提供することができる。
【図面の簡単な説明】
【００１９】
【図１】実施形態１のコピー防止シートの平面図
【図２】コピー防止シートの断面図
【図３】コピー防止シートを貼り付けた書類（原本）の平面図
【図４】図３の原本をコピー機により複写して得られた複写物の平面図
【図５】実施形態２のコピー防止シートの平面図
【図６】実施形態２のコピー防止シートを貼り付けた原本をコピー機により複写して得られた複写物の平面図
【図７】他の実施形態（１）で説明するコピー防止シートの断面図
【考案を実施するための形態】
【００２０】
＜実施形態１＞
本考案の実施形態１を図１ないし図４によって説明する。
本実施形態のコピー防止シート１０は、図１に示すように、矩形状をなし、図２に示すように、フィルム１１、金属を含む金属薄膜層１３、粘着剤層１４および剥離シート１６からなる４層構造のものである。
【００２１】
コピー防止シート１０は例えば以下の方法により製造される。
まず、フィルム１１の一方の面１１Ａ（図２における下側の面１１Ａ）に、公知の方法によりエンボス加工を施して、図１に示すような多数の三角形が描かれたホログラム１２を形成する。フィルム１１のホログラム形成面１１Ａの断面形状は、図２に示すように凹凸状をなしている。
【００２２】
フィルム１１としては、ポリエチレン製フィルムやポリエチレンテレフタレート（ＰＥＴ）製フィルムなどのプラスチックフィルムが好ましく、その厚みは適宜設定することが可能であるが、３８μｍ〜１００μｍ程度が好ましい。
【００２３】
次に、フィルム１１のホログラム形成面に、光反射性の透明な（あるいは透明に近い）金属薄膜層１３を形成する。金属薄膜層１３はアルミニウムなどの金属単体、もしくは合金、硫化亜鉛などの金属硫化物、金属窒化物、酸化チタン、酸化アルミニウムなどの金属酸化物などを蒸着（真空蒸着、スパッタリング法、イオンプレーティング法）するか、あるいはメッキ法を施すことにより形成することができる。金属薄膜層１３を形成する材料としては、原本２０の視認性に優れるという点で酸化アルミが好ましい。
【００２４】
次に、金属薄膜層１３の面のうち、フィルム１１とは反対側の面１３Ａ（図２における下側の面１３Ａ）に、ホログラム１２の模様に対応するように粘着剤層１４を部分的に形成する。金属薄膜層１３と剥離シート１６との間において粘着剤層１４のないところは空気の層１５である（図２を参照）。
粘着剤層１４は、アクリル系樹脂、ビニル系樹脂などを主成分とする透明な粘着剤を用いて、印刷などの塗布方法により形成することができる。
【００２５】
本実施形態のホログラム１２は三角形が多数描かれた模様をなしているので、三角形の形を縁取るように粘着剤層１４を設けてもよいし、三角形を１つおきに塗りつぶすように粘着剤層１４を設けてもよい。粘着剤層１４の形成面積の割合は、金属薄膜層１３の下側面１３Ａの面積に対して約３０〜６０％程度であるのが好ましい。
【００２６】
このようにして、粘着剤層１４を形成した後、シリコーンなどの離型性の樹脂が一方の面に施されている剥離シート１６を粘着剤層１４に貼り付けてから、所定のサイズ（例えばＡ４）に切断することにより、本実施形態のコピー防止シート１０が得られる。
【００２７】
次に、本実施形態のコピー防止シート１０の使用方法について説明する。
本実施形態のコピー防止シート１０をそのまま、また所望の大きさに切断した後、剥離シート１６を除去する。ここで、本実施形態のコピー防止シート１０には、剥離シート１６が設けられているので、使用するまで、ごみなどの付着を防止することができ、粘着性の低下が起こり難い。
【００２８】
剥離シート１６を除去したコピー防止シート１０を、図３に示すように、情報が記載された書類２０（原本２０）のうち、コピーを防止したい部分２１（「特定の情報が記載された表示部２１」に相当）に貼り付ける。すると、本実施形態のコピー防止シート１０は、透明または透明に近いフィルム１１と透明または透明に近い金属薄膜層１３と透明な粘着剤層１４が重ねられた構成であるので、コピー防止シート１０の貼り付けられている部分２１の情報は目視により読みとることができる。
【００２９】
次に、コピー防止シート１０を貼り付けた原本２０をコピー機（図示せず）を用いて複写する。
本実施形態のコピー防止シート１０にはホログラム１２が形成されているので、ホログラフィーの原理により、複写物３０にはホログラム１２の模様に対応して白抜け状態のところ３１が生じる（図４を参照）。
【００３０】
特に、本実施形態のコピー防止シート１０では、粘着剤がホログラム１２の模様に対応して部分的に設けられているので、粘着剤のない空気の層１５が形成されている。また、ホログラム１２と粘着剤層１４との間に金属薄膜層１３が存在するため、粘着剤がホログラム１２を構成する凸凹部分に直接入りこむことがない。
【００３１】
その結果、本実施形態のコピー防止シート１０を貼り付けた原本２０の複写物３０においては、図４に示すように、ホログラム１２の模様に対応して白抜け状態のところ３１が十分に生じて、原本２０のコピーを防止したい部分２１に記載されていた情報がほとんど読み取れなくなる。
【００３２】
次に本実施形態の効果について説明する。
本実施形態によれば、ホログラム１２の模様に対応して白抜け状態のところが十分に生じるから、コピー防止効果に優れたコピー防止シート１０を提供することができる。
また、本実施形態によれば、表示部２１に貼り付けられた状態で表示部２１を目視可能な透光性を有しているので、原本２０の視認性にも優れる。
【００３３】
＜実施形態２＞
本考案の実施形態２を図５および図６によって説明する。以下の説明において、実施形態１と同様の構成、作用効果について重複する記載は省略する。
本実施形態はホログラム１２の模様が実施形態１とは相違する。本実施形態のコピー防止シート１０に形成されたホログラム１２は、実施形態１よりも細かいドット状の模様である（図５を参照）。本実施形態ではホログラム１２の模様以外の構成は実施形態１と同様である。
【００３４】
本実施形態のコピー防止シート１０を実施形態１と同様に、原本２０の所定箇所２１に貼り付けて、コピー機により複写すると、図６に示すようにホログラム１２の模様に対応する部分に白抜け状態のところ３１が充分に生じる。その結果、原本２０のコピーを防止したい部分２１に記載されていた情報がほとんど読み取れなくなる。
本実施形態によれば、ホログラム１２の模様が細かいドット状の模様なので、細かい字などで記載された事項のコピーを防止するのに特に有効である。
【００３５】
＜他の実施形態＞
本考案は上記記述及び図面によって説明した実施形態に限定されるものではなく、例えば次のような実施形態も本考案の技術的範囲に含まれる。
（１）上記実施形態では、フィルム１１の一方の面１１Ａにエンボス加工を施すことにより形成されたホログラム１２を備えるものを示したが、例えば、図７に示すように、フィルム１１の下側の面に金属薄膜層１３を積層してから、金属薄膜層１３の下側の面１３Ａにエンボス加工を施すことにより形成されたホログラム１２を備えるものであってもよい。
（２）上記実施形態では、三角形が多数描かれたものやドットが多数描かれたホログラム１２を示したが、ホログラム１２の模様は、亀甲柄や格子状のものなどであってもよい。
（３）上記実施形態では、剥離シート１６を備えるものを示したが、剥離シート１６を備えないものであってもよい。
【符号の説明】
【００３６】
１０…コピー防止シート
１１…フィルム
１２…ホログラム
１３…金属薄膜層
１４…粘着剤層
１５…空気の層（粘着剤層のない部分）
１６…剥離シート
２０…書類（原本）
２１…表示部
【図１】
0003153219.tif 000003
【図２】
0003153219.tif 000004
【図３】
0003153219.tif 000005
【図４】
0003153219.tif 000006
【図５】
0003153219.tif 000007
【図６】
0003153219.tif 000008
【図７】
0003153219.tif 000009